(57)【要約】【課題】水加熱システムの小型化を図る。【解決手段】暖房・給湯システム２０は、室外ユニット２３と、室内ユニット２５とを備えている。室外ユニット２３は、冷媒循環回路を含んでおり、外気から熱を奪う。室内ユニット２５は、水循環回路を含んでおり、冷媒循環回路を流れる冷媒から熱を奪って、水循環回路を流れる水を加熱する。室内ユニット２５は、加熱された水を貯める貯水タンク６０と、その貯水タンク６０の中に配置され水と熱交換を行う蓄熱部材６１とを有する。【選択図】図１
2018155453.tif 000002
【特許請求の範囲】
【請求項１】
冷媒循環回路を含み、外気から熱を奪う、ヒートポンプ装置（２３）と、
水循環回路を含み、前記冷媒循環回路を流れる冷媒から熱を奪って前記水循環回路を流れる水を加熱する、水循環装置（２５）と、
を備え、
前記水循環回路は、加熱された水を貯める貯水タンク（６０、１６０）と、前記貯水タンクの中に配置され水と熱交換を行う蓄熱部材（６１、１６１）と、を有する、
水加熱システム（２０、２２０）。
【請求項２】
前記ヒートポンプ装置および前記水循環装置を制御して、前記蓄熱部材および前記貯水タンク内の水に熱を蓄えさせる蓄熱運転（９４）を行う、制御部（９０）、
をさらに備える、請求項１に記載の水加熱システム。
【請求項３】
ユーザーの要求に応じて加熱された水を提供する給湯部（２８）と、給水源（９９）から供給される水を前記給湯部へと導く水配管（９９ａ、６３、２８ａ）と、を有する給湯装置、
をさらに備え、
前記水配管の一部（６３）は、前記貯水タンクの中に配置されて、前記蓄熱部材および前記貯水タンク内の水から熱を奪う熱交換器としての役割を果たす、
請求項１又は２に記載の水加熱システム。
【請求項４】
建物内の所定空間に設置され、前記貯水タンクから流れてくる水の熱によって前記所定空間を暖める暖房装置（２６）、
をさらに備え、
前記貯水タンクから前記暖房装置に流れた水は、前記所定空間の空気と熱交換をして冷却されて前記貯水タンクに戻る、
請求項１から３のいずれか１項に記載の水加熱システム（２２０）。
【請求項５】
前記蓄熱部材は、主材料と１又は複数の副材料とを含み前記蓄熱運転において外形を保ちつつ相変化する複合蓄熱材である、
請求項１から４のいずれか１項に記載の水加熱システム。
【請求項６】
前記複合蓄熱材は、
前記主材料として、熱を吸収する蓄熱あるいは熱を放出する放熱の際に相変化を伴う材料を含み、
前記副材料として、前記主材料が相変化しても形状を維持させるための材料を含む、
請求項５に記載の水加熱システム。
【請求項７】
前記複合蓄熱材は、前記副材料として、熱伝導性を向上させるための材料を含む、
請求項５又は６に記載の水加熱システム。
【発明の詳細な説明】
【技術分野】
【０００１】
本発明は、水加熱システム、特に、給湯や暖房のための温水を生成する水加熱システムに関する。
【背景技術】
【０００２】
従来から、給湯や暖房のための温水を生成する水加熱システムが提案されている。例えば、特許文献１（特開２０１３−１７４４０８号公報）に示されるヒートポンプ式給湯装置では、ヒートポンプにより加熱された温水をタンクに貯め、その温水を給湯や暖房に利用している。
【発明の概要】
【発明が解決しようとする課題】
【０００３】
しかし、上述のような給湯装置では、一般に大きなタンクが必要になり、そのタンクの設置スペースの確保が課題となっている。
【０００４】
本発明の課題は、水加熱システムの小型化を図ることにある。
【課題を解決するための手段】
【０００５】
本発明の第１観点に係る水加熱システムは、ヒートポンプ装置と、水循環装置とを備えている。ヒートポンプ装置は、冷媒循環回路を含んでおり、外気から熱を奪う。水循環装置は、水循環回路を含んでおり、冷媒循環回路を流れる冷媒から熱を奪って、水循環回路を流れる水を加熱する。水循環回路は、加熱された水を貯める貯水タンクと、その貯水タンクの中に配置され水と熱交換を行う蓄熱部材と、を有する。
【０００６】
ここでは、貯水タンクに加熱された水を貯めるだけではなく、貯水タンクの中に蓄熱部材を配置している。このため、水だけで蓄熱を行う場合に較べ、貯める水の量が減っても蓄熱部材の蓄熱機能によって補うことができるため、貯水タンクのサイズを小さくすることができる。これにより、水加熱システムの小型化が図られる。
【０００７】
本発明の第２観点に係る水加熱システムは、第１観点に係る水加熱システムであって、制御部をさらに備えている。制御部は、ヒートポンプ装置および水循環装置を制御して、蓄熱部材および貯水タンク内の水に熱を蓄えさせる蓄熱運転を行う。
【０００８】
ここでは、蓄熱運転において、ヒートポンプ装置によって外気から熱を奪い、その熱を使って水を加熱し、その熱を貯水タンク内の水および蓄熱部材に蓄える。したがって、これらの水および蓄熱部材に蓄えられた熱を用いて、例えば、高温給湯を行ったり急速暖房を行ったりすることが可能となる。
【０００９】
本発明の第３観点に係る水加熱システムは、第１観点又は第２観点に係る水加熱システムであって、給湯装置をさらに備えている。給湯装置は、給湯部と、水配管とを有する。給湯部は、ユーザーの要求に応じて加熱された水を提供する。水配管は、給水源から供給される水を、給湯部へと導く。水配管の一部は、貯水タンクの中に配置されている。この貯水タンクの中に位置する水配管の一部は、蓄熱部材および貯水タンク内の水から熱を奪う熱交換器としての役割を果たす。
【００１０】
ここでは、給湯部へと延びる水配管の一部が、貯水タンク内で熱交換器としての役割を果たすため、給水源から取った水を加熱して給湯部からユーザーに提供できる。そして、貯水タンク内の水の熱だけではなく、蓄熱部材の熱も、水配管を流れる水の加熱に用いることができるため、高温出湯や出湯量の確保が容易になる。
【００１１】
本発明の第４観点に係る水加熱システムは、第１観点から第３観点のいずれかに係る水加熱システムであって、暖房装置をさらに備えている。暖房装置は、建物内の所定空間に設置され、貯水タンクから流れてくる水の熱によって所定空間を暖める。貯水タンクから暖房装置に流れた水は、所定空間の空気と熱交換をして冷却され、貯水タンクに戻る。
【００１２】
ここでは、貯水タンク内に蓄熱部材が配置されているため、貯水タンクから暖房装置へと流す水の量を増やしても水温を高く保つことができたり、貯水タンクから暖房装置へ高い温度の水を流すことができたりする、というメリットが生まれる。
【００１３】
本発明の第５観点に係る水加熱システムは、第１観点から第４観点のいずれかに係る水加熱システムであって、蓄熱部材は、複合蓄熱材である。複合蓄熱材は、主材料と、１又は複数の副材料とを含み、蓄熱運転において外形を保ちつつ相変化する。
【００１４】
ここでは、蓄熱部材として、蓄熱運転において外形を保ちつつ相変化する複合蓄熱材を用いている。この複合蓄熱材の潜熱を利用することにより蓄熱密度が向上するため、蓄熱能力に対して蓄熱部材のサイズが相対的に従来よりも小さくなる。これにより、貯水タンクの大きさ、引いては水加熱システムの大きさを抑制することができる。
【００１５】
本発明の第６観点に係る水加熱システムは、第５観点に係る水加熱システムであって、複合蓄熱材は、主材料として、熱を吸収する蓄熱あるいは熱を放出する放熱の際に相変化を伴う材料を含む。また、複合蓄熱材は、副材料として、主材料が相変化しても形状を維持させるための材料を含む。
【００１６】
ここでは、複合蓄熱材が、主材料が相変化しても形状を維持させるための材料（副材料）を含む。これにより、相変化時の蓄熱材の外形を保つことができる。
【００１７】
本発明の第７観点に係る水加熱システムは、第５観点又は第６観点に係る水加熱システムであって、複合蓄熱材は、副材料として、熱伝導性を向上させるための材料を含む。
【００１８】
ここでは、例えば、グラファイト、あるいは、カーボン系ナノ粒子といった、熱伝導性を向上させるための材料を主材料に添加させることで、複合蓄熱材を生成している。このため、蓄熱部材の熱伝導性が向上し、水加熱システムにおける蓄熱運転を効率的に行わせることができる。
【００１９】
なお、主材料としては、例えば、パラフィン系材料、あるいは、エリトリトールを用いることが好ましい。
【００２０】
また、主材料が相変化しても形状を維持させるために主材料に添加する副材料としては、比重が０．９４以上の高密度ポリエチレン、あるいは、セラミックの少なくとも一方を用いることが好ましい。
【発明の効果】
【００２１】
本発明によれば、水加熱システムの小型化が図られる。
【図面の簡単な説明】
【００２２】
【図１】本発明の第１実施形態に係る水加熱システムである暖房・給湯システムの構成図。
【図２】暖房・給湯システムの制御ブロック図。
【図３】貯水タンクにおける蓄熱部材の配置を示す概念図。
【図４】暖房・給湯システムの暖房運転を示す図。
【図５】暖房・給湯システムの冷房運転を示す図。
【図６】暖房・給湯システムの給湯運転を示す図。
【図７】暖房・給湯システムの蓄熱運転を示す図。
【図８】暖房・給湯システムの蓄熱利用給湯運転を示す図。
【図９】第１実施形態の変形例に係る貯水タンク内の蓄熱部材の配置を示す概念図。
【図１０】本発明の第２実施形態に係る水加熱システムである暖房・給湯システムの構成図。
【発明を実施するための形態】
【００２３】
＜第１実施形態＞
本発明の第１実施形態に係る水加熱システムである暖房・給湯システム２０を、図１に示す。
【００２４】
（１）暖房・給湯システムの構成
暖房・給湯システム２０は、室外ユニット２３と、室内ユニット２５と、ラジエターやファンコイルユニットなどの暖房装置２６と、蛇口やシャワーなどの給湯機器２８と、室外ユニット２３および室内ユニット２５の各機器を制御する制御部９０とを有している。
【００２５】
（１−１）室外ユニット
ヒートポンプ装置として機能する室外ユニット２３は、主として、圧縮機３１と、四路切換弁３２と、室外熱交換器３３と、膨張弁３４と、ファン３９とを有している。また、室外ユニット２３は、それぞれ室内ユニット２５と接続される第１、第２ポート２３ａ，２３ｂを有している。
【００２６】
圧縮機３１は、インバータ制御により容量可変である。圧縮機３１は、低圧のガス冷媒を吸入し、圧縮して高圧となったガス冷媒を吐出する。
【００２７】
四路切換弁３２は、圧縮機３１の吐出管と室外熱交換器３３とが連通し且つ圧縮機３１の吸入管と第１ポート２３ａとが連通する第１状態と、圧縮機３１の吐出管と第１ポート２３ａとが連通し且つ圧縮機３１の吸入管と室外熱交換器３３とが連通する第２状態と、を切り換える弁である。後述する冷房運転９２においては、四路切換弁３２が第１状態となり、暖房運転９１等においては、四路切換弁３２が第２状態となる。
【００２８】
室外熱交換器３３は、内部を流れる冷媒と、ファン３９の駆動によって周囲を流れる室外空気との間で熱交換を行わせ、室外空気から冷熱あるいは温熱を奪って冷媒に与える機器である。後述する冷房運転９２においては、室外熱交換器３３は冷媒の凝縮器として機能し、暖房運転９１等においては、室外熱交換器３３が冷媒の蒸発器として機能する。
【００２９】
室外熱交換器３３と第２ポート２３ｂの間に設けられる膨張弁３４は、冷媒を減圧するための膨張機構として機能する弁であり、開度調整が可能である。
【００３０】
（１−２）室内ユニット
水循環装置として機能する室内ユニット２５は、主として、第１〜第６水循環用配管５１〜５６と、冷媒配管５７とを有している。また、室内ユニット２５は、室外ユニット２３の第１、第２ポート２３ａ，２３ｂとそれぞれ接続される第１、第２冷媒配管接続ポート２５ａ、２５ｂと、暖房装置２６を接続するための第１、第２水配管接続ポート２５ｃ、２５ｄと、給湯機器２８等を接続するための第３，第４水配管接続ポート２５ｅ、２５ｆとを有している。さらに、室内ユニット２５は、水を循環させるためのポンプ７１と、冷媒と水とを熱交換させる室内熱交換器７２と、水循環経路を切り換えるための三方弁７３と、第１、第２逆止弁７４、７５と、加熱した水を貯留する貯水タンク６０とを有している。
【００３１】
（１−２−１）ポンプ
ポンプ７１は、暖房装置２６との間に形成される水循環経路、あるいは貯水タンク６０との間に形成される水循環経路において、吸い込んだ水を第１水循環用配管５１に吐出する。
【００３２】
（１−２−２）室内熱交換器
室内熱交換器７２は、室外ユニット２３から送られてきて冷媒配管５７を流れる冷媒と、第１水循環用配管５１から入り第２水循環用配管５２へと流れていく水との間で、熱交換を行わせる。
【００３３】
（１−２−３）貯水タンク
貯水タンク６０は、給湯機器２８に供給する水を加熱するための熱源である高温水を貯める容器である。貯水タンク６０の上部には第５水循環用配管５５が接続され、貯水タンク６０の下部には第６水循環用配管５６が接続されている。また、貯水タンク６０に貯留される水の中に、給湯用伝熱管６３が配置され固定されている。給湯用伝熱管６３の入口は、第４水配管接続ポート２５ｆを介して、上水道などの給水源９９から延びる給水管９９ａと接続される。給湯用伝熱管６３の出口は、第３水配管接続ポート２５ｅを介して、給湯機器２８と接続される。
【００３４】
（１−２−４）蓄熱部材
また、貯水タンク６０は、その内部空間に貯まっている水の中に位置する複数の蓄熱部材６１を有している。蓄熱部材６１は、貯水タンク６０内で固定されており、給湯用伝熱管６３の下方に配置されている。
【００３５】
蓄熱部材６１は、複合蓄熱材であり、主材料と、１又は複数の副材料とを含んでいる。この複合蓄熱材は、後述する蓄熱運転９４および蓄熱利用給湯運転９５において、外形を保ちつつ相変化する。
【００３６】
具体的には、相変化するパラフィンやエリトリトールに、熱伝導性を向上させるためのナノグラファイト粒子やナノカーボン粒子が添加剤として混ぜられ、さらに、形状維持のために、高濃度ポリエチレン（ＨＤＰＥ）やセラミック粒子が混ぜられ、複合蓄熱材が生成される。
【００３７】
例えば、相変化材料として溶融温度が６０℃であるパラフィンを採用し、パラフィンの相変化時の形状を維持するために高濃度ポリエチレンを用いて、更にグラファイトやカーボン粒子を熱伝導性アップのために数％〜２０％だけ添加して、固形の複合蓄熱材を生成することができる。
【００３８】
複数の蓄熱部材６１は、円柱状に生成されており、図３に示すように、それぞれ上下方向に長く延びるように配置されている。図３は、貯水タンク６０内における複数の蓄熱部材６１の相対位置を示すための概念図であり、図３では給湯用伝熱管６３や貯水タンク６０の底部、頂部の図示を省略している。貯水タンク６０の形状も円柱状であって、蓄熱部材６１は、貯水タンク６０の円柱状の内部空間に、互いの隙間が小さくなるように密に配置されている。
【００３９】
（１−２−５）三方弁および逆止弁
三方弁７３は、室内熱交換器７２と暖房装置２６との間で水が循環する第１状態と、室内熱交換器７２と貯水タンク６０との間で水が循環する第２状態とを切り換える弁である。第１状態においては、ポンプ７１から吐出された水が、第１水循環用配管５１、室内熱交換器７２、第２水循環用配管５２、三方弁７３、第３水循環用配管５３、暖房装置２６、第４水循環用配管５４、第１逆止弁７４を順に流れ、再びポンプ７１に吸い込まれる。第２状態においては、ポンプ７１から吐出された水が、第１水循環用配管５１、室内熱交換器７２、第２水循環用配管５２、三方弁７３、第５水循環用配管５５、貯水タンク６０、第６水循環用配管５６、第２逆止弁７５を順に流れ、再びポンプ７１に吸い込まれる。
【００４０】
第１逆止弁７４は、暖房装置２６につながる第２水配管接続ポート２５ｄからポンプ７１への水の流れを許容し、その逆の流れを許容しない逆止弁である。第２逆止弁７５は、貯水タンク６０からポンプ７１への水の流れを許容し、その逆の流れを許容しない逆止弁である。
【００４１】
（１−３）暖房装置および給湯機器
暖房装置２６は、家などの建物内に配備されるラジエターやファンコイルユニット、床暖房ユニット、などであり、内部を流れる高温の水（湯）の熱によって建物内を暖房する。各暖房装置２６は、暖房用水連絡配管２６ａ，２６ｂを介して、室内ユニット２５の第１、第２水配管接続ポート２５ｃ、２５ｄに接続される。
【００４２】
給湯機器２８は、建物内の給湯可能な蛇口やシャワーの水栓であり、給湯用水連絡配管２８ａを介して、室内ユニット２５の第３水配管接続ポート２５ｅに接続されている。例えば、蛇口を開けると、給水源９９の水の圧力によって、給水源９９の水が、給水管９９ａ、第４水配管接続ポート２５ｆ、給湯用伝熱管６３、第３水配管接続ポート２５ｅ、給湯用水連絡配管２８ａを通って、蛇口から流れ出す。この水は、給湯用伝熱管６３を通っているときに室内ユニット２５の貯水タンク６０内の高温の湯および蓄熱部材６１と熱交換を行い、４０−５０℃程度の湯となる。給湯機器２８では、混合水栓などを用いて、給湯温度を調整する。
【００４３】
（１−４）制御部
制御部９０は、室外ユニット２３および室内ユニット２５の各機器や各弁を制御して、各種運転を行わせるコントローラである。制御部９０は、主にＣＰＵからなり、ＲＡＭ、ＲＯＭ、及びハードディスク等からなるメモリ（図示せず）に記憶されたプログラムを実行することで各種処理を実行する。制御部９０は、図２に示すように、圧縮機３１、四路切換弁３２、膨張弁３４、ファン３９、ポンプ７１、三方弁７３などと接続されている。また、図示しない冷媒温度センサや水温センサなども、制御部９０に接続されている。
【００４４】
制御部９０は、図２に示すように、暖房運転９１、冷房運転９２、給湯運転９３、蓄熱運転９４、蓄熱利用給湯運転９５、などを実行する。
【００４５】
（２）暖房・給湯システムの運転
暖房・給湯システム２０では、以下の各運転を行うことができる。これらの運転では、冷媒や水が、以下に説明するように流れ、暖房や冷房、給湯、蓄熱が行われる。
【００４６】
（２−１）暖房運転
暖房運転９１においては、図４に示すように、室外ユニット２３では、暖房サイクルで冷媒が循環し、室外熱交換器３３において室外空気から温熱を奪った冷媒が、室内ユニット２５の室内熱交換器７２へと流れる。すなわち、制御部９０は、暖房運転９１において、四路切換弁３２を第２状態にして、膨張弁３４の開度を絞って冷媒を減圧させる。ここでは、冷媒が、圧縮機３１、室内熱交換器７２、膨張弁３４、室外熱交換器３３の順に流れ、圧縮機３１に戻る。室内熱交換器７２は冷媒の凝縮器として機能し、室外熱交換器３３は冷媒の蒸発器として機能する。圧縮機３１から吐出された高温、高圧の冷媒は、室内熱交換器７２において室内ユニット２５を循環する水に熱を放出する。
【００４７】
一方、室内ユニット２５では、三方弁７３を第１状態にし、ポンプ７１から吐出された水が、第１水循環用配管５１、室内熱交換器７２、第２水循環用配管５２、三方弁７３、第３水循環用配管５３、暖房装置２６、第４水循環用配管５４、第１逆止弁７４を順に流れ、再びポンプ７１に吸い込まれるように、制御部９０が各弁を制御する。ポンプ７１から吐出された水は、室内熱交換器７２において冷媒配管５７を流れる高温の冷媒から熱を奪って高温となり、暖房装置２６において熱を放出する。これによって、暖房装置２６による暖房が行われる。暖房装置２６で放熱した水は、室内ユニット２５に戻り、再びポンプ７１によって室内熱交換器７２に向けて吐出され循環する。
【００４８】
（２−２）冷房運転
暖房・給湯システム２０は、基本的に暖房と給湯とを行うシステムであるが、本実施形態では、室外ユニット２３に四路切換弁３２を配備し、暖房装置２６に冷水を流すことで冷房を行うことも可能なシステムとしている。
【００４９】
冷房運転９２においては、図５に示すように、冷媒が、圧縮機３１、室外熱交換器３３、膨張弁３４、室内熱交換器７２を順に流れ、圧縮機３１に戻るように、制御部９０が各弁を制御する。すなわち、冷房サイクルで冷媒が循環するように、四路切換弁３２を第１状態にし、膨張弁３４の開度を絞って冷媒を減圧させる。室外熱交換器３３は冷媒の凝縮器として機能し、室内熱交換器７２は冷媒の蒸発器として機能する。室外熱交換器３３を出て膨張弁３４で減圧された低圧の二相状態の冷媒は、室内熱交換器７２において蒸発し、室内ユニット２５を循環する水から熱を奪う。
【００５０】
一方、室内ユニット２５では、三方弁７３を第１状態にし、ポンプ７１から吐出された水が、第１水循環用配管５１、室内熱交換器７２、第２水循環用配管５２、三方弁７３、第３水循環用配管５３、暖房装置２６、第４水循環用配管５４、第１逆止弁７４を順に流れ、再びポンプ７１に吸い込まれるように、制御部９０が各弁を制御する。ポンプ７１から吐出された水は、室内熱交換器７２において冷媒配管５７を流れる冷媒に吸熱されて低温となり、暖房装置２６において室内空気から温熱を吸収する。これによって、暖房装置２６による室内の冷房が行われる。暖房装置２６で吸熱した水は、室内ユニット２５に戻り、再びポンプ７１によって室内熱交換器７２に向けて吐出され循環する。
【００５１】
（２−３）給湯運転
給湯運転９３においては、図６に示すように、室外ユニット２３では、暖房サイクルで冷媒が循環し、室外熱交換器３３において室外空気から温熱を奪った冷媒が、室内ユニット２５の室内熱交換器７２へと流れる。すなわち、制御部９０は、暖房運転９１において、四路切換弁３２を第２状態にして、膨張弁３４の開度を絞って冷媒を減圧させる。ここでは、冷媒が、圧縮機３１、室内熱交換器７２、膨張弁３４、室外熱交換器３３の順に流れ、圧縮機３１に戻る。室内熱交換器７２は冷媒の凝縮器として機能し、室外熱交換器３３は冷媒の蒸発器として機能する。圧縮機３１から吐出された高温、高圧の冷媒は、室内熱交換器７２において室内ユニット２５を循環する水に熱を放出する。
【００５２】
一方、室内ユニット２５では、三方弁７３を第２状態にし、ポンプ７１から吐出された水が、第１水循環用配管５１、室内熱交換器７２、第２水循環用配管５２、三方弁７３、第５水循環用配管５５、貯水タンク６０、第６水循環用配管５６、第２逆止弁７５を順に流れ、再びポンプ７１に吸い込まれるように、制御部９０が各弁を制御する。ポンプ７１から吐出された水は、室内熱交換器７２において冷媒配管５７を流れる高温の冷媒から熱を奪って高温となり、貯水タンク６０の上部に流れ込む。そして、貯水タンク６０の下部の比較的低温の水が押し出され、ポンプ７１に戻る。
【００５３】
そして、給水管９９ａから貯水タンク６０内の給湯用伝熱管６３を通って給湯機器２８へと流れる水は、貯水タンク６０の中の高温水および蓄熱部材６１と熱交換を行い、給湯機器２８に向けて高温出湯される。
【００５４】
（２−４）蓄熱運転
暖房や給湯の要求がなく、貯水タンク６０内の水温が低いときに、貯水タンク６０内の水および蓄熱部材６１に温熱を蓄えるために、制御部９０によって蓄熱運転９４が実行される。図７に示すように、蓄熱運転９４においては、室外ユニット２３では、暖房サイクルで冷媒が循環し、室外熱交換器３３において室外空気から温熱を奪った冷媒が、室内ユニット２５の室内熱交換器７２へと流れる。暖房運転９１と同様に、圧縮機３１から吐出された高温、高圧の冷媒は、室内熱交換器７２において室内ユニット２５を循環する水に熱を放出する。
【００５５】
一方、室内ユニット２５では、給湯運転９３と同様に、三方弁７３を第２状態にし、ポンプ７１から吐出された水が、第１水循環用配管５１、室内熱交換器７２、第２水循環用配管５２、三方弁７３、第５水循環用配管５５、貯水タンク６０、第６水循環用配管５６、第２逆止弁７５を順に流れ、再びポンプ７１に吸い込まれるように、制御部９０が各弁を制御する。ポンプ７１から吐出された水は、室内熱交換器７２において冷媒配管５７を流れる高温の冷媒から熱を奪って高温となり、貯水タンク６０の上部に流れ込む。そして、貯水タンク６０の下部の比較的低温の水が押し出され、ポンプ７１に戻る。貯水タンク６０内では、だんだんと蓄熱部材６１に温熱が蓄えられていき、貯水タンク６０内における高温水の割合が増えていく。
【００５６】
（２−５）蓄熱利用給湯運転
蓄熱運転によって、貯水タンク６０内の水温が十分に高くなっていれば、蓄熱部材６１にも十分な温熱が蓄えられた状態であると言える。この状態において、給湯の要求があったときには、しばらくの間、室外ユニット２３の圧縮機３１は稼働させず、貯水タンク６０内の水および蓄熱部材６１の蓄熱を利用した給湯運転（蓄熱利用給湯運転９５）が行われる。
【００５７】
図８に示すように、蓄熱利用給湯運転９５においては、制御部９０は、室外ユニット２３の冷媒は循環させず、室内ユニット２５のポンプ７１を稼働させる。給湯運転９３と同様に、三方弁７３が第２状態にされて、ポンプ７１から吐出された水は、第１水循環用配管５１、室内熱交換器７２、第２水循環用配管５２、三方弁７３、第５水循環用配管５５、貯水タンク６０、第６水循環用配管５６、第２逆止弁７５を順に流れ、再びポンプ７１に吸い込まれる。
【００５８】
一方、給水管９９ａから貯水タンク６０内の給湯用伝熱管６３を通って給湯機器２８へと流れる水は、貯水タンク６０の中の高温水と熱交換を行い、給湯機器２８に向けて高温出湯される。貯水タンク６０において給湯用伝熱管６３を通る水と熱交換を行って温度が下がった循環水は、蓄熱部材６１の周囲を通って上から下に流れるときに蓄熱部材６１から熱を奪って高温となり、ポンプ７１を通って再び貯水タンク６０の上部に流れ込んで給湯用伝熱管６３を通る水と熱交換を行う。そして、循環水の温度が下がってくると、図８に示す蓄熱利用給湯運転９５から図６に示す給湯運転９３に切り換えられる。すなわち、室内ユニット２５における循環水の温度が下がると、制御部９０は、室外ユニット２３の圧縮機３１を稼働させて、室外ユニット２３において冷媒を暖房サイクルで循環させる。
【００５９】
（３）暖房・給湯システムの特徴
（３−１）
本実施形態に係る暖房・給湯システム２０は、ヒートポンプ装置としての室外ユニット２３と、水循環装置としての室内ユニット２５とを備えている。室外ユニット２３は、圧縮機３１、四路切換弁３２、室外熱交換器３３、膨張弁３４を有する冷媒循環回路を含むユニットであり、蓄熱運転９４を行っているときに、室外熱交換器３３において外気（室外空気）から熱を奪う。室外ユニット２３は、第１〜第６水循環用配管５１〜５６やポンプ７１を有する水循環回路を含むユニットであり、室内熱交換器７２において、冷媒循環回路を流れる冷媒から熱を奪って、水循環回路を流れる水を加熱する。水循環回路に含まれる貯水タンク６０は、その内部の水と熱交換を行う蓄熱部材６１を有している。そして、制御部９０が、蓄熱部材６１および貯水タンク６０内の水に熱を蓄えさせる蓄熱運転９４を実行する。
【００６０】
ここでは、貯水タンク６０に加熱された水を貯めるだけではなく、貯水タンク６０の中に蓄熱部材６１を配置している。このため、水だけで蓄熱を行う場合に較べ、貯める水の量が減っても蓄熱部材６１の蓄熱機能によって補うことができるため、貯水タンク６０のサイズを小さくすることができる。これにより、暖房・給湯システム２０の小型化が図られている。
【００６１】
（３−２）
本実施形態に係る暖房・給湯システム２０は、給水管９９ａ、給湯用伝熱管６３、給湯用水連絡配管２８ａ、給湯機器２８などを含む給湯装置を備えている。シャワーや蛇口といった給湯機器２８は、ユーザーの要求に応じて加熱された水を提供する。給水源９９から供給される水を給湯機器２８へと導く給水管９９ａ、給湯用伝熱管６３および給湯用水連絡配管２８ａのうち、給湯用伝熱管６３は、貯水タンク６０の中に配置されている。この給湯用伝熱管６３は、蓄熱部材６１および貯水タンク６０内の水から熱を奪う熱交換器としての役割を果たす。
【００６２】
ここでは、給湯用伝熱管６３が、貯水タンク６０内で熱交換器としての役割を果たすため、たとえ室外ユニット２３の圧縮機３１を止めていても、給水源９９から取った水を加熱して給湯機器２８からユーザーに提供できる（上述の図８に示す蓄熱利用給湯運転９５を参照）。そして、貯水タンク６０内の水の熱だけではなく、蓄熱部材６１の熱も、給湯用伝熱管６３を流れる水の加熱に用いることができるため、高温出湯や出湯量の確保が容易になっている。
【００６３】
（３−３）
本実施形態に係る暖房・給湯システム２０では、蓄熱部材６１が、蓄熱運転９４において、貯水タンク６０内で貯水タンク６０を流れる循環水から熱を奪って温熱を蓄える。また、蓄熱部材６１は、蓄熱利用給湯運転９５において、貯水タンク６０を流れる循環水に温熱を放出する。そして、蓄熱部材６１として、蓄熱運転９４や蓄熱利用給湯運転９５において外形を保ちつつ相変化する複合蓄熱材を採用している。複合蓄熱材は、主材料と、複数の副材料とを含んでいる。この複合蓄熱材の潜熱を利用することにより蓄熱密度が向上するため、蓄熱能力に対する蓄熱部材６１のサイズが、相対的に水や水和物スラリーよりも小さくなっている。これにより、蓄熱運転９４を行う暖房・給湯システム２０の小型化が図られている。
【００６４】
（４）変形例
上記の第１実施形態では、蓄熱部材６１を円柱形状に成形して、それらの長手方向を循環水の流れる方向に合わせて複数の蓄熱部材６１を貯水タンク６０内に配置しているが、図９に示すような貯水タンク１６０および蓄熱部材１６１を代わりに採用してもよい。
【００６５】
貯水タンク１６０内には、多数の球状の蓄熱部材１６１が、互いが接触する状態で詰められる。蓄熱部材１６１がそれぞれ球状であるため、貯水タンク１６０内に形成される循環水の流路は、自然と蛇行する流路になり、循環水と蓄熱部材１６１との熱交換が促進される。
【００６６】
なお、図９における矢印は、循環水の流れを示している。
【００６７】
＜第２実施形態＞
本発明の第２実施形態に係る水加熱システムである暖房・給湯システム２２０を、図１０に示す。暖房・給湯システム２２０は、図１に示す暖房・給湯システム２０と同じ室外ユニット２３、暖房装置２６および給湯機器２８を含む給湯装置を使用しつつ、室内ユニット２５に代えて室内ユニット２２５を採用したシステムである。
【００６８】
室内ユニット２２５は、第１実施形態の室内ユニット２５の第４水循環用配管５４に新たに第２三方弁２７９を設け、第２三方弁２７９の状態を切り換えることで、暖房装置２６から第２三方弁２７９および第７水循環用配管２５４を通って貯水タンク６０の上部に循環水が流れ込む第３の水循環経路を選択できるユニットである。第７水循環用配管２５４は、第２三方弁２７９と第５水循環用配管５５とを結ぶ配管である。
【００６９】
この暖房・給湯システム２２０では、上述の第１実施形態の暖房運転９１、冷房運転９２、給湯運転９３、蓄熱運転９４および蓄熱利用給湯運転９５に加え、図１０の太線で示す冷媒および循環水の流れによる暖房・予備蓄熱運転を更に行うことが可能である。
【００７０】
制御部９０は、例えば、暖房の要求がある一方、貯水タンク６０内の水温が３０℃といった低温で、暖房と同時に予備的に貯水タンク６０内の水および蓄熱部材６１への蓄熱を行わせたいときに、暖房・予備蓄熱運転を実行する。
【００７１】
（１）暖房・予備蓄熱運転
制御部９０は、暖房・予備蓄熱運転において、室外ユニット２３では、暖房サイクルで冷媒を循環させる。圧縮機３１から吐出された高温、高圧の冷媒は、室内熱交換器７２において室内ユニット２５を循環する水に熱を放出する。一方、室内ユニット２２５では、三方弁７３を第１状態にし、第２三方弁２７８を、暖房装置２６から第２三方弁２７９および第７水循環用配管２５４を通って貯水タンク６０の上部に循環水が流れ込む状態にする。すると、ポンプ７１から吐出された水が、第１水循環用配管５１、室内熱交換器７２、第２水循環用配管５２、三方弁７３、第３水循環用配管５３、暖房装置２６、第２三方弁２７９、第７水循環用配管２５４、貯水タンク６０、第６水循環用配管５６、第２逆止弁７５を順に流れ、再びポンプ７１に吸い込まれる。ポンプ７１から吐出された水は、室内熱交換器７２において冷媒配管５７を流れる高温の冷媒から熱を奪って高温となり、暖房装置２６において熱を放出する。例えば、６０℃で暖房装置２６に入った高温水は、４０〜５０℃になって室内ユニット２５に戻る。室内ユニット２５に戻った水は、第２三方弁２７９および第７水循環用配管２５４を通って貯水タンク６０の上部に流れ、低温の貯水タンク６０内の水をポンプ７１へと押し出すとともに、蓄熱部材６１へ放熱する。言い換えると、３０℃以下といった低温になっている蓄熱部材６１は、貯水タンク６０に流れ込んでくる４０〜５０℃の循環水と熱交換を行い、循環水から温熱を奪って蓄熱する。
【００７２】
（２）急速暖房運転
また、制御部９０は、上述の第１実施形態の蓄熱運転９４が行われ、貯水タンク６０内の水温が十分に高くなっていれば、上述の暖房運転９１よりも暖房能力が高くなる急速暖房運転を行わせることもできる。図１０に示すように冷媒および水を循環させると、循環水の加熱源が、室内熱交換器７２および貯水タンク６０内の蓄熱部材６１となり、より高温の循環水を暖房装置２６に提供できる。
【符号の説明】
【００７３】
２０    暖房・給湯システム（水加熱システム）
２３    室外ユニット（ヒートポンプ装置）
２５    室内ユニット（水循環装置）
２６    暖房装置
２８    給湯機器（給湯部）
２８ａ  給湯用水連絡配管（水配管）
６０    貯水タンク
６１    蓄熱部材
６３    給湯用伝熱管（水配管）
９０    制御部
９４    蓄熱運転
９９    給水源
９９ａ  給水配管（水配管）
１６０    貯水タンク
１６１    蓄熱部材
２２０    暖房・給湯システム（水加熱システム）
【先行技術文献】
【特許文献】
【００７４】
【特許文献１】特開２０１３−１７４４０８号公報
【図１】
2018155453.tif 000003
【図２】
2018155453.tif 000004
【図３】
2018155453.tif 000005
【図４】
2018155453.tif 000006
【図５】
2018155453.tif 000007
【図６】
2018155453.tif 000008
【図７】
2018155453.tif 000009
【図８】
2018155453.tif 000010
【図９】
2018155453.tif 000011
【図１０】
2018155453.tif 000012